【事件の表示】
　特許第３２８６６４４号「排版装置付き孔版印刷装置の制御装置」の請求項１、２に係る特許に対する特許異議の申立てについて、次のとおり決定する。
【結　論】
　訂正を認める。
　特許第３２８６６４４号の請求項１、２に係る特許を維持する。
【理　由】
１．手続の経緯
　本件特許第３２８６６４４号の請求項１及び２に係る発明についての出願は、平成５年３月５日の出願であって、平成１４年３月８日にその特許権の設定の登録がなされ、その特許について、森本幹男より特許異議の申し立てがなされ、取消理由通知がなされ、その指定期間内である平成１５年５月２１日に訂正請求がなされ、上記申立人に対して審尋がなされ、申立人により平成１５年１０月９日に回答書が提出されたものである。
　　　
２．訂正の適否
（１）訂正の内容
　特許権者の求めている訂正の内容は、以下のとおりである（訂正箇所にアンダーラインを付した。）。
　ａ．訂正事項ａ
　特許請求の範囲の
「【請求項１】 版胴の外周面に巻き付け装着されている孔版原紙を剥ぎ取り、当該孔版原紙を排版原紙収納部へ搬送する排版装置を有する孔版印刷装置の制御装置において、
　孔版原紙を前記排版原紙収納部へ搬送する搬送路における孔版原紙の有無を検出する孔版原紙有無検出手段と、前記孔版原紙有無検出手段の検出状態が孔版原紙無し状態より孔版原紙有り状態へ変化してから所定時間内に前記孔版原紙有無検出手段の検出状態が孔版原紙有り状態より孔版原紙無し状態へ変化するか否かを監視し、変化した場合は次の動作処理の開始を許可し、変化しない場合は排版不良と判定して次の動作処理の開始を禁止する制御を行う制御手段と、
を有していることを特徴とする排版装置付き孔版印刷装置の制御装置。
【請求項２】 前記制御手段による排版不良判定により動作して排版不良警告を行う排版不良警告手段を有していることを特徴とする請求項１に記載の排版装置付き孔版印刷装置の制御装置。」
を、
「【請求項１】 版胴の外周面に巻き付け装着されている孔版原紙を剥ぎ取り、当該孔版原紙を排版原紙収納部へ搬送する排版装置を有する孔版印刷装置の制御装置において、
　孔版原紙を前記排版原紙収納部へ搬送する搬送路における孔版原紙の有無を
光学式に
を有していることを特徴とする排版装置付き孔版印刷装置の制御装置。
【請求項２】 前記制御手段による排版不良判定により動作して排版不良警告を行う排版不良警告手段を有していることを特徴とする請求項１に記載の排版装置付き孔版印刷装置の制御装置。」
と訂正する。
ｂ．訂正事項ｂ      
　段落【０００７】を、
「【課題を解決するための手段】上述の如き目的は、本発明によれば、版胴の外周面に巻き付け装着されている孔版原紙を剥ぎ取り、当該孔版原紙を排版原紙収納部へ搬送する排版装置を有する孔版印刷装置の制御装置において、孔版原紙を前記排版原紙収納部へ搬送する搬送路における孔版原紙の有無を
光学式に
と訂正する。
　　
（２）訂正の目的の適否、新規事項の有無及び拡張・変更の存否
　上記訂正事項ａに関して、願書に添付した明細書（以下、「特許明細書」という。）における「排版送りローラ５３、５５の前方部分には版胴１より剥ぎ取った孔版原紙Ｓのの有無を検出する光学式の排版センサ６１が設けられている。」（段落【００１６】）と記載されている。
　してみると、上記訂正事項ａは、特許明細書又は図面に記載されていた範囲内で、特許請求の範囲の請求項１において、「孔版原紙有無検出手段」が、光学式に検出するものであると限定したものである。
　ゆえに、上記訂正事項ａは、特許請求の範囲の減縮を目的とするものである。
　また、上記訂正事項ｂは、上記訂正事項ａに伴い、特許請求の範囲の記載と発明の詳細な説明の記載との整合を図るため、発明の詳細な説明の記載を訂正したものであるから、明りょうでない記載の釈明を目的とするものである。
　さらに、上記訂正事項ａ及びｂは、いずれも、実質的に特許請求の範囲を拡張変更するものでない。
　　
（３）むすび
　以上のとおりであるから、上記訂正は、平成１１年改正前の特許法第１２０条の４第３項において準用する平成６年法律第１１６号による改正前の特許法第１２６条第１項ただし書、第２項及び第３項の規定に適合するので、当該訂正を認める。
　　　　
３．特許異議申し立てについての判断
（１）申立の理由の概要
  申立人森本幹男は、証拠として、甲第１号証（特開昭５５−３０９２２号公報）及び甲第２号証（特開平３−２２７８５２号公報）を提出し、本件請求項１及び２に係る発明は、これらに記載された発明に基づいて、当業者が容易に発明をすることができたものであるから、特許法第２９条の規定により特許受けることができない旨の主張をしている。
　　　　　　　　　　　　　　　　　
（２）本件発明
　本件請求項１及び２に係る発明（以下、「本件発明１及び２」という。）は、上記訂正によって訂正された明細書の特許請求の範囲の請求項１及び２に記載されたとおりのものである（上記訂正事項ａ参照。）。       
　　　　
（３）刊行物に記載された発明
　当審で通知した取消理由に引用した刊行物１及び２には、本件発明１及び２に関連する事項として、以下のような事項が記載されている。
　ア．刊行物１：特開昭５５−３０９２２号公報（＝申立人森本幹男の提出した甲第１号証）
　ａ．「第１図において、１は、図示しない版取付部材を具えた版胴、２，３は右方から搬入された版を案内するガイド板、４は給版ローラ、５は給版ローラ４から離隔した図示の位置と給版ローラ４に接触する位置とを変位するようになつた給版ローラ、６は給版ローラ５と連動して、給版ローラ５が離隔位置にあるときガイド板２，３間に突出した図示のストツプ位置に、また給版ローラ５が接触位置にあるときガイド板２，３間から離脱した待避位置にあるように変位するようになつたストツプフインガ、７は版胴１から版を隔離するはがし爪、８はプーリ９，１０間に張架された排版ベルト、１１は排版台である。１２は軸１３のまわりに揺動可能に枢着された検知部材であつて、互いに一体となつた給版検知部１４と、排版検知部１５と、排版台１１の外方を通つて下方へ延びて下端にマグネツト１６を具えた作用板１７とからなり、実線で示す定常位置と鎖線で示す作動位置とを揺動して変位するようになつている。定常位置においては、給版検知部１４はガイド板２，３間に突出し、排版検知部１５は排版ベルト８の排出端付近に位置し、作用板１７はスプリング１８の引張力によりストツパ１９に当接している。また作動位置においては、給版検知部１４はガイド板２，３間から離脱し、排版検知部１５は排版ベルト８の排出端付近から遠ざかり、作用板１７はその下端のマグネツト１６がリードスイツチ２０を作動させる位置にある。２１は軸２２のまわりに揺動可能に枢着されて、排版台１１上の版を整然と積重ねるために押える押え板である。また第２図において、２３は中立工程スイツチ、２４は給版工程スイツチ、２５は着肉工程スイツチ、２６は印刷工程スイツチ、２７は排版工程スイツチ、２８はクリーニング工程スイツチであつて、これらの各工程スイツチは印刷機がその運転に伴つて各工程を処理していくのに対応して順次作動するようになつている。」（２頁左下欄９行〜３頁左上欄６行）　
　ｂ．「上記のような印刷機が運転を開始すると、中立工程から給版工程となる。このとき版がガイド板２，３間に搬入されて給版検知部１４を押すと、検知部材１２は揺動して作動位置へ変位し、リードスイツチ２０を作動させる。するとストツプフインガ６が待避位置へ変位するとともに給版ローラ５が接触位置へ変位して給版ローラ４との間に版を挟んで給送し、それにより版は版胴１に取付けられ、また検知部材１２は定常位置に復帰する。その後印刷機は着肉、転写、印刷の各工程を経て排版工程となる。このとき版が版胴１からはがし爪７により剥離され排版ベルト８上を搬送されて排版検知部１５を押すと、検知部材１２は揺動して作動位置へ変位し、リードスイツチ２０を作動させる。そして版が排版台１１上に落下すると検知部材１２は定常位置に復帰し、その後印刷機はクリーニング工程を経て中立工程に戻る。（第３図ａ）」（３頁左上欄１２行〜右上欄９行）
　ｃ．「給版が正常に行われたのち印刷機の排版工程時に排版検知部１５が版を全く検知しないでつぎのクリーニング工程に到ると、ＡＮＤゲート３８の出力により排版ミス表示器４２が表示する。（第３図ｄ）印刷機の排版工程時に版を検知した排版検知部１５がつぎのクリーニング工程になつても検知し続けていると、ＡＮＤゲート３６の出力により排版ミス、ストツク量表示器４２が表示する（第３図ｅ）。そしてこの表示は、排版が正常になされていない場合にそれを表示するだけでなく、排版ストツク量が所定の容量に達した場合にそれを表示することも兼ねている。」（３頁右上欄１８行〜左下欄１０行）
　ｄ．印刷機の各工程におけるリードスイツチの状態を示す説明図（第３図）　
　　
　イ．刊行物２：特開平３−２２７８５２号公報（＝同甲第２号証）
　ａ．「（ニ）プラテン１は印字に伴って行送り方向に間欠的に回転するが、このプラテン１が所定回転し用紙後端が検知センサーＳを通過する見込み送り量を経過しても検知センサーＳが用紙を検出するときは用紙ジャムとみなし印字装置の全ての動作を停止する。」（４頁右下欄１〜６行）　                      
　　
（４）対比判断
　本件発明１と上記刊行物１及び２に記載された発明とを対比すると、
　上記刊行物１及び２のいずれにも、本件発明１の構成要件である、
「孔版原紙有無検出手段の検出状態が孔版原紙無し状態より孔版原紙有り状態へ変化してから所定時間内に前記孔版原紙有無検出手段の検出状態が孔版原紙有り状態より孔版原紙無し状態へ変化するか否かを監視し、変化した場合は次の動作処理の開始を許可し、変化しない場合は排版不良と判定して次の動作処理の開始を禁止する制御を行う制御手段とを有している」
点について、記載も示唆もされていない。
　因みに、刊行物１には、排版装置付き印刷装置の制御装置において、版を排版台１１へ搬送する搬送路における版の有無を検出する排版検知部１５を有すること、上記排版検知部１５の検出状態が版無し状態より版有り状態へ変化してから所定時間内に上記排版検知部１５の検出状態が版有り状態から版無し状態へ変化するか否かを監視し、変化しない場合は排版ミスを表示すること及び中立、給版、着肉、印刷、排版、及びクリーニングの各工程のスイッチは、各工程を処理していくのに対応して順次作動するようになつていることが記載されていると認められるものの、各工程のスイッチ操作が上記排版検知部１５による検出状態如何とどのような関係にあるのか明らかでなく、むしろ、上記排版検知部の検出状態が版有り状態から版無し状態へ変化しない場合でも、クリーニング工程（つぎの動作処理工程）に入ってしまうことが記載されている（上記（３）ア．ｃ．ｄ．参照）。
　また、上記刊行物２には、印字装置において、検知センサーＳが用紙の先端を検出してから用紙後端が検知センサーＳを通過する見込み送り量を経過しても検知センサーＳが用紙を検出するときは用紙ジャムとみなし印字装置の全ての動作を停止することが記載されているが、排版装置付き印刷装置における排版検知手段の検出状態と各動作処理の開始の許可や禁止との関連について、何ら記載も示唆もない。
　ゆえに、刊行物１に記載の発明に、刊行物２に記載の発明を組み合わせる動機付けが無く、仮に組み合わせても、上記点を具える排版装置付き印刷装置の制御装置が得られるものでもない。
　さらに、異議申立人が、平成１５年１０月９日付回答書において提出した、甲第３号証（特開昭６２−２７９９７９号公報）及び甲第４号証（特開平３−１９３３５１号公報）には、印刷装置において、搬送するシートの有無の検出手段として、光学式のものを使用することが記載されていると認められるものの、上記点については、記載も示唆もなく、また、上記点は当該技術分野において周知のことでもない。
　そして、本件発明１は、上記点を構成要件とすることにより、本件特許明細書に記載された「排版される孔版原紙の後端の通過が監視され、孔版原紙の後端が通過したことが検出されなければ排版不良と判定して次の動作処理の開始が禁止され、・・・排版不良に起因する付随的な障害発生が確実に回避される」（段落【００３１】参照）という上記刊行物のいずれにも記載されていない作用効果を奏するものである。
　したがって、本件発明１は、上記刊行物１及び２に記載されたものから、当業者が容易に発明をすることができたものあるいは上記刊行物１、上記刊行物２、甲第３号証（特開昭６２−２７９９７９号公報）及び甲第４号証（特開平３−１９３３５１号公報）に記載された発明から当業者が容易に発明をすることができたものとすることができない。
　また、本件発明２は、本件発明１を引用し、その構成要件を全て備えるものであるから、本件発明１の上記判断と同様な理由で、上記刊行物１及び２に記載されたものから当業者が容易に発明をすることができたものあるいは上記刊行物１、上記刊行物２、甲第３号証（特開昭６２−２７９９７９号公報）及び甲第４号証（特開平３−１９３３５１号公報）に記載された発明から当業者が容易に発明をすることができたものとすることができない。
　　
（５）むすび
　以上のとおりであるから、特許異議申し立ての理由及び証拠方法によっては、本件請求項１及び２に係る発明についての係る特許を取り消すことができない。
　また、他に本件請求項１及び２に係る発明についての特許を取り消すべき理由を発見しない。
　したがって、本件請求項１及び２に係る発明についての特許は、拒絶の査定をしなければならない特許出願に対してされたものと認めない。
　よって、結論のとおり決定する。
【異議決定日】
平成１５年１１月１１日（２００３．１１．１１）
【訂正の要旨】
審決（決定）の【理由】欄参照。
（５４）【発明の名称】
排版装置付き孔版印刷装置の制御装置
（５７）【特許請求の範囲】
　【請求項１】　版胴の外周面に巻き付け装着されている孔版原紙を剥ぎ取り、当該孔版原紙を排版原紙収納部へ搬送する排版装置を有する孔版印刷装置の制御装置において、
　孔版原紙を前記排版原紙収納部へ搬送する搬送路における孔版原紙の有無を
光学式に
　前記孔版原紙有無検出手段の検出状態が孔版原紙無し状態より孔版原紙有り状態へ変化してから所定時間内に前記孔版原紙有無検出手段の検出状態が孔版原紙有り状態より孔版原紙無し状態へ変化するか否かを監視し、変化した場合は次の動作処理の開始を許可し、変化しない場合は排版不良と判定して次の動作処理の開始を禁止する制御を行う制御手段と、
　を有していることを特徴とする排版装置付き孔版印刷装置の制御装置。
　【請求項２】　前記制御手段による排版不良判定により動作して排版不良警告を行う排版不良警告手段を有していることを特徴とする請求項１に記載の排版装置付き孔版印刷装置の制御装置。
【発明の詳細な説明】
　【０００１】
　【産業上の利用分野】
　本発明は、排版装置付き孔版印刷装置の制御装置に関し、特に版胴の外周面に巻き付け装着されている孔版原紙を剥ぎ取ってこれを排版原紙収納部へ搬送する排版装置を有する孔版印刷装置の制御装置に関するものである。
　【０００２】
　【従来の技術】
　版胴の外周面に巻き付け装着されている孔版原紙を排版爪により剥ぎ取り、これを排版搬送ローラにより排版原紙収納部へ搬送するよう構成された排版装置を有する孔版印刷装置は既に知られており、これは例えば実開昭５８−３２６６号、実公平４−１８８６７号の各公報に示されている。
　【０００３】
　従来、上述の如き孔版印刷装置においては、孔版原紙を排版原紙収納部へ搬送する搬送路における孔版原紙の有無を検出する孔版原紙有無検出手段が設けられ、排版動作開始指令出力時より所定時間内に前記孔版原紙有無検出手段の検出状態が孔版原紙無し状態より孔版原紙有り状態へ変化するか否かを監視し、変化した場合は次の動作処理の開始を許可し、変化しない場合は排版不良と判定して次の動作処理の開始を禁止する制御が行われている。
　【０００４】
　【発明が解決しようとする課題】
　上述の排版不良判定は、排版される孔版原紙の先端が排版原紙収納部への搬送路を通過したか否かにより行われていることになり、これでは排版される孔版原紙の先端が排版原紙収納部への搬送路を通過したのちに何らかの障害により孔版原紙が完全に排版原紙収納部に搬送されていなくても正しく排版が行われたとして次の動作処理の開始が許可されることになる。
　【０００５】
　孔版原紙が完全に排版原紙収納部に搬送されていない状態にて次の動作処理が開始されると、排版不良状態で排版部に残在している孔版原紙により版胴の回転が阻害されたり、版胴に新たに着版された孔版原紙が排版不良状態の孔版原紙に付着している印刷インキにより汚損される虞れがある。また排版不良状態で孔版原紙が排版部に残存していると、次の排版が適切に行われ得ず、排版不良状態が益々悪化し、排版不良状態の解消に手間が掛かるようになる。
　【０００６】
　本発明は、従来の孔版印刷装置に於ける上述の如き問題点に着目してなされたものであり、排版不良を確実且つ適切に判定し、排版不良に起因する付随的な障害発生を確実に無くすことができ、併せて排版不良の発生をユーザに警告するよう改良された排版装置付き孔版印刷装置の制御装置を提供することを目的としている。
　【０００７】
　【課題を解決するための手段】
　上述の如き目的は、本発明によれば、版胴の外周面に巻き付け装着されている孔版原紙を剥ぎ取り、当該孔版原紙を排版原紙収納部へ搬送する排版装置を有する孔版印刷装置の制御装置において、
　孔版原紙を前記排版原紙収納部へ搬送する搬送路における孔版原紙の有無を
光学式に
　【０００８】
　また上述の如き目的を達成するため、本発明による排版装置付き孔版印刷装置の制御装置は、上述の構成に加えて、前記制御手段による排版不良判定により動作して排版不良警告を行う排版不良警告手段を有していることを特徴としている。
　【０００９】
　【作用】
　上述の如き構成によれば、孔版原紙有無検出手段の検出状態が孔版原紙無し状態より孔版原紙有り状態へ変化してから所定時間内に前記孔版原紙有無検出手段の検出状態が孔版原紙有り状態より孔版原紙無し状態へ変化するか否か、即ち排版される孔版原紙の後端の通過が監視され、孔版原紙の後端が通過したことが検出されなければ排版不良と判定して次の動作処理の開始が禁止され、また排版不良警告手段により排版不良警告が行われる。
　【００１０】
　【実施例】
　以下に本発明の実施例を図面を用いて詳細に説明する。
　【００１１】
　図１は本発明による制御装置を適用される排版装置付き孔版印刷装置の一実施例を示している。図１において、符号１は円筒状の版胴を示している。版胴１は、外周面部にステージ面部３と共働して孔版原紙Ｓをクランプする原紙クランプ片５を有している。原紙クランプ片５の枢軸７には歯車９が取り付けられており、この歯車９には図示されていない固定の本体フレーム側にクランプソレノイド１１により上下動可能に設けられたクランプ駆動ユニット１３の駆動歯車１５が選択的に噛合する。
　【００１２】
　版胴１の図１にて左方には連続シート状の感熱性の孔版原紙Ｓのロール体Ｒを交換可能に保持する原紙ロール保持部１７が設けられている。
　【００１３】
　原紙ロール保持部１７と版胴１との間には、原紙案内下板１９と、上下に対をなす感熱製版用のサーマルヘッド２１とプラテンローラ２３と、上下に対をなす原紙案内下板２５と原紙案内上板２７とにより構成された原紙入口通路２９と、原紙入口通路２９の途中に設けられた上下一対の原紙搬送ローラ３１、３３と、上下に対をなす固定刃３７と可動刃３５とからなる原紙カッタ３９と、上下に対をなす原紙案内下板４１と原紙案内上板４３とにより構成された原紙出口通路４５とが順に配置されている。
　【００１４】
　版胴１の図にて右方には排版装置４７が設けられている。排版装置４７は、枢軸４９により回動可能に支持された排版爪５１と、上下一対の排版送りローラ５３、５５と、排版送りローラ５３、５５の後方（図１にて右方）に配置された排版原紙収納ボックス５７とを有している。
　【００１５】
　排版爪５１は排版爪ソレノイド５９により版胴１の外周面に接近する原紙剥ぎ取り位置とこの原紙剥ぎ取り位置より退いた退避位置との間に回動変位する。
　【００１６】
　排版送りローラ５３、５５の前方部分には版胴１より剥ぎ取った孔版原紙Ｓのの有無を検出する光学式の排版センサ６１が設けられている。
　【００１７】
　図２は上述の如き構成よりなる孔版印刷装置の原紙供給部の制御系の一実施例を示している。この制御系は、マイクロプロセッサなどにより構成されたＣＰＵ７１と、制御プログラムを格納したＲＯＭ７３と、入力情報、タイマ計測値などを随時記憶するＲＡＭ７５とを有し、排版センサ６１より情報を入力し、四つのモータ駆動回路７７、７９、８１、８３と二つのパルスモータ駆動回路８５、８７と二つのソレノイド駆動回路８９、９１と表示駆動回路９３へ動作指令を出力する。
　【００１８】
　モータ駆動回路７７には版胴１を回転駆動する版胴モータ９５が、モータ駆動回路７９には可動刃３５を回転駆動するカッタモータ９７が、モータ駆動回路８１には駆動歯車１５を回転駆動するクランプモータ９９が、モータ駆動回路８３には排版送りローラ５３を回転駆動する排版送りモータ１０１が、パルスモータ駆動回路８５にはプラテンローラ２３を回転駆動するライトパルスモータ１０３が、パルスモータ駆動回路８７には原紙搬送ローラ３１を回転駆動するロードパルスモータ１０５が、ソレノイド駆動回路８９にはクランプソレノイド１１が、ソレノイド駆動回路９１には排版爪ソレノイド５９が、表示駆動回路９３には液晶などによる表示部１０７が各々接続されている。
　【００１９】
　ＣＰＵ７１は、制御プログラムを実行し、基本的には、排版センサ６１の検出状態が孔版原紙無し状態より孔版原紙有り状態へ変化してから所定時間内に排版センサ６１の検出状態が孔版原紙有り状態より孔版原紙無し状態へ変化するか否かを監視し、変化した場合は次の動作処理の開始を許可し、変化しない場合は排版不良と判定して次の動作処理の開始を禁止する制御を行うと共に、表示駆動回路９３へ排版不良警告の表示を行う指令を出力する。
　【００２０】
　図３は排版の動作フローを示しており、図４はこの排版動作のタイムチャートである。排版動作フローは図示されていない操作パネルに設けられている製版スタートボタンがユーザにより操作されることによって開始され、先ずクランプソレノイド１１をオン動作させて初期回転位置にて回転停止している版胴１上の歯車９に駆動歯車１５を噛合させ、クランプモータ９９をオン動作させて原紙クランプ片５をクランプ解放位置へ移動させるクランプ開動作を行う（ステップ１０）。
　【００２１】
　クランプ開動作が完了してから、クランプソレノイド１１の動作により駆動歯車１５が歯車９との噛合より離脱するのに要する時間が経過すると、排版を開始する。
　【００２２】
　排版は、排版爪ソレノイド５９をオン動作させて排版爪５１を原紙剥ぎ取り位置に位置させ、排版送りモータ１０１をオン動作させて排版送りローラ５３、５５を回転させ、版胴モータ９５をオン動作させて版胴１を回転させることにより行われ、これらのオン動作に同期してＣＰＵ７１によるタイマ値Ｔを０にリセットする（ステップ３０）。
　【００２３】
　これにより版胴１の外周面に巻き付け装着されている孔版原紙Ｓは版胴１の回転に伴い排版爪５１により版胴１より剥ぎ取られ、排版送りローラ５３、５５とによりピンチされて排版原紙収納ボックス５７内へ送り込まれる。
　【００２４】
　上述の如く、排版動作が開始されると、この排版動作が開始されてから、タイマセット値Ｔｓｅｔ１により決まる所定時間、例えば２秒程度が経過する以内に排版センサ６１の検出状態が孔版原紙無し状態より孔版原紙有り状態へ変化、この場合、排版センサ６１の出力信号がオフよりオンに変化したか否かを判別する（ステップ４０、５０、６０）。
　【００２５】
　排版動作が開始されてから、タイマセット値Ｔｓｅｔ１により決まる所定時間が経過する以内に排版センサ６１の出力信号がオフよりオンに変化しない場合は、排版される孔版原紙Ｓの先端側がジャムなどにより排版送りローラ５３、５５の前方部分を通過していてない状態にある場合であり、この場合には排版エラー処理を行い、次の動作処理の開始を禁止する制御を行うと共に、表示駆動回路９３へ排版不良警告の表示を行う指令を出力する（ステップ１４０）。これにより表示部１０７に排版不良警告表示が行われる。
　【００２６】
　これに対し、排版動作が開始されてから、タイマセット値Ｔｓｅｔ１により決まる所定時間が経過する以内に排版センサ６１の出力信号がオフよりオンに変化した場合は、排版される孔版原紙Ｓの先端が正常に排版送りローラ５３、５５の前方部分を通過して正常に排版が行われている状態にある場合であり、この場合にはＣＰＵ７１によるタイマ値Ｔを０にリセットし（ステップ７０）、次に時点よりタイマセット値Ｔｓｅｔ２により決まる所定時間、例えば１０秒程度が経過する以内に排版センサ６１の検出状態が孔版原紙有り状態より孔版原紙無し状態へ変化、この場合、排版センサ６１の出力信号がオンよりオフに変化したか否かを判別する（ステップ８０、９０、１００）。
　【００２７】
　排版センサ６１の出力信号がオンに変化してから、タイマセット値Ｔｓｅｔ２により決まる所定時間が経過する以内に排版センサ６１の出力信号がオンよりオフに変化しない場合は、排版される孔版原紙Ｓの後端がジャムなどにより排版送りローラ５３、５５の前方部分を通過していてない状態にある場合であり、この場合には排版エラー処理を行い、次の動作処理の開始を禁止する制御を行うと共に、表示駆動回路９３へ排版不良警告の表示を行う指令を出力する（ステップ１４０）。これにより表示部１０７に排版不良警告表示が行われる。
　【００２８】
　これに対し、排版センサ６１の出力信号がオンに変化してから、タイマセット値Ｔｓｅｔ２により決まる所定時間が経過する以内に排版センサ６１の出力信号がオンよりオフに変化した場合は、排版される孔版原紙Ｓの後端が正常に排版送りローラ５３、５５の前方部分を通過して排版が正常に完了した場合であり、この場合には、上述の如き排版と並行して新たに製版された孔版原紙Ｓを版胴１に巻き付け装着する着版動作を直ちに開始する（ステップ１１０）。これにより排版センサ６１の出力信号がオンよりオフに変化する時点、即ち排版の正常完了が早ければ早いほど着版動作の開始が早まり、次の印刷開始が早まることになる。
　【００２９】
　そして排版センサ６１の出力信号がオンよりオフに変化してから所定時間、例えば２秒程度が経過すれば（ステップ１２０）、排版爪ソレノイド５９をオフ動作させて排版爪５１を退避位置に戻し、排版送りモータ１０１をオフ動作させて排版送りローラ５３、５５の回転を停止し、排版動作を終了する（ステップ１３０）。
　【００３０】
　以上に於ては、本発明を特定の実施例について詳細に説明したが、本発明は、これに限定されるものではなく、本発明の範囲内にて種々の実施例が可能であることは当業者にとって明らかであろう。
　【００３１】
　【発明の効果】
　以上の説明から理解される如く、本発明による排版装置付き孔版印刷装置の制御装置によれば、排版センサなどの孔版原紙有無検出手段の検出状態が孔版原紙無し状態より孔版原紙有り状態へ変化してから所定時間内に前記孔版原紙有無検出手段の検出状態が孔版原紙有り状態より孔版原紙無し状態へ変化するか否か、即ち排版される孔版原紙の後端の通過が監視され、孔版原紙の後端が通過したことが検出されなければ排版不良と判定して次の動作処理の開始が禁止され、また排版不良警告手段により排版不良警告が行われるから、排版不良が確実且つ適切に見い出され、排版不良に起因する付随的な障害発生が確実に回避されるようになり、また排版不良の発生がユーザに的確に警告されるようになる。
【図面の簡単な説明】
　【図１】
　本発明による制御装置を適用される排版装置付き孔版印刷装置の一実施例を示す概略構成図。
　【図２】
　本発明による制御装置を適用される孔版印刷装置の原紙供給部の制御系の一実施例を示すブロック線図。
　【図３】
　本発明による排版装置付き孔版印刷装置の制御装置における排版の動作フローを示すフローチャート。
　【図４】
　本発明による排版装置付き孔版印刷装置の制御装置における排版の動作を示すタイムチャート。
　【符号の説明】
　　　１　版胴
　　　５　原紙クランプ片
　　１３　クランプ駆動ユニット
　　２１　サーマルヘッド
　　３９　原紙カッタ
　　４７　排版装置
　　５１　排版爪
　　５３　排版送りローラ
　　５５　排版送りローラ
　　６１　排版センサ
　　７１　ＣＰＵ
　１０７　表示部